(57)【要約】【課題】ネットワークや各種装置に負荷を与えることなく、リアルタイムに端末の規制・規制解除を行う。【解決手段】在圏する通信端末からの発信を受けた交換機は、該通信端末の発信元のユーザ識別子をキーとして規制情報を検索し（Ｓ３２、Ｓ３３）、該ユーザ識別子に関する規制情報が有れば、発信元の通信端末からの通信を規制し（Ｓ３４）、該ユーザ識別子に関する規制情報が無ければ、通信相手の規制情報をホームメモリに問い合わせる（Ｓ３５）。ホームメモリは、通信相手のユーザ識別子をキーとして規制情報を検索し（Ｓ３６、Ｓ３７）、通信相手の規制情報を交換機に応答する（Ｓ３８）。交換機は、通信相手の規制情報を受信すると、発信元の通信端末から通信相手への通信を規制する（Ｓ３９）。【選択図】図４
2008047951.tif 000002
【特許請求の範囲】
【請求項１】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末に関する情報の管理を行う端末管理装置と、を含んで構成される通信システムにて、前記通信端末の通信の規制を制御するための規制制御方法であって、
在圏する通信端末からの発信を受けた交換機が、該通信端末の発信元ユーザのユーザ識別子をキーとして前記第１の規制情報データベースから規制情報を検索する第１の検索ステップと、
発信元ユーザのユーザ識別子に関する規制情報があった場合、交換機が、該通信端末の通信を規制する第１の規制ステップと、
発信元ユーザのユーザ識別子に関する規制情報がなかった場合、交換機が、ホームメモリに対し、通信相手ユーザの規制情報を問い合わせる問合せステップと、
ホームメモリが、通信相手ユーザのユーザ識別子をキーとして前記第２の規制情報データベースから規制情報を検索する第２の検索ステップと、
通信相手ユーザのユーザ識別子に関する規制情報があった場合、ホームメモリが通信相手ユーザの規制情報を交換機に応答する応答ステップと、
交換機が、前記通信相手ユーザの規制情報を受信し、発信元の通信端末から前記通信相手への通信を規制する第２の規制ステップと、
を有する規制制御方法。
【請求項２】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムにて、前記通信端末の通信の規制を制御するための規制制御方法であって、
交換機が、在圏している通信端末からの位置登録要求又は電源オン通知を受け付けたときに、前記通信端末の端末識別子を通信端末のユーザのユーザ識別子と関連付けて前記第１の規制情報データベースに保持する第１の保持ステップと、
交換機が、前記通信端末の端末識別子が、以前前記ユーザのユーザ識別子に組み合わされていた端末識別子と異なっているか否かを判断する第１の判断ステップと、
前記通信端末の端末識別子が、以前前記ユーザのユーザ識別子に組み合わされていた端末識別子と異なっていると判断された場合に、交換機が、ホームメモリに対し、前記通信端末のユーザのユーザ識別子と通信端末の端末識別子の組合せを通知する通知ステップと、
ホームメモリが、前記通知を受信し、端末識別子をユーザ識別子に関連付けて前記第２の規制情報データベースに保持する第２の保持ステップと、
ホームメモリが、前記通信端末の端末識別子が、以前前記ユーザのユーザ識別子に組み合わされていた端末識別子と異なっているか否かを判断する第２の判断ステップと、
前記通信端末の端末識別子が、以前前記ユーザのユーザ識別子に組み合わされていた端末識別子と異なっていると判断された場合に、ホームメモリが、端末管理装置に対し、通信端末のユーザのユーザ識別子と通信端末の端末識別子の組合せを送信して通信端末の規制情報を問い合わせる規制情報問合せステップと、
端末管理装置が、受信した組合せにおけるユーザ識別子を端末識別子に関連付けて前記第３の規制情報データベースに保持する第３の保持ステップと、
端末管理装置が、受信した組合せにおける端末識別子をキーとして前記第３の規制情報データベースから規制情報を検索し、得られた規制情報をホームメモリに対し応答する規制情報応答ステップと、
ホームメモリが、端末管理装置からの規制情報を受信し、受信した規制情報をユーザ識別子に関連付けて前記第２の規制情報データベースに保持する第４の保持ステップと、
ホームメモリが、受信した規制情報が以前保持していた規制情報と同じか否かを判断する第３の判断ステップと、
受信した規制情報が以前保持していた規制情報と同じでない場合、ホームメモリが、前記交換機に対し前記受信した規制情報を送信する規制情報送信ステップと、
前記交換機が、ホームメモリからの規制情報を受信し、受信した規制情報を、保持しているユーザ識別子に関連付けて前記第１の規制情報データベースに保持する第５の保持ステップと、
を有する規制制御方法。
【請求項３】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムにて、前記通信端末の通信の規制を制御するための規制制御方法であって、
端末管理装置が、外部から投入された規制情報を端末識別子に関連付けて前記第３の規制情報データベースに保持する第１の保持ステップと、
端末管理装置が、通信端末の端末識別子に基づいて前記第３の規制情報データベースから該通信端末の利用ユーザのユーザ識別子を検索し、得られたユーザ識別子と規制情報をホームメモリに送信する規制情報送信ステップと、
ホームメモリが、前記規制情報をユーザ識別子に関連付けて前記第２の規制情報データベースに保持する第２の保持ステップと、
ホームメモリが、受信した規制情報が以前保持していた規制情報と同じか否かを判断する規制情報判断ステップと、
受信した規制情報が以前保持していた規制情報と異なる場合、ホームメモリが交換機に対し規制情報を通知する規制情報通知ステップと、
交換機が、規制情報を受信し、受信した規制情報を、保持しているユーザ識別子に関連付けて前記第１の規制情報データベースに保持する第３の保持ステップと、
を有する規制制御方法。
【請求項４】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末に関する情報の管理を行う端末管理装置と、を含んで構成される通信システムであって、
前記交換機は、
在圏する通信端末からの発信を受けた場合、該通信端末の発信元ユーザのユーザ識別子をキーとして前記第１の規制情報データベースから規制情報を検索する第１の検索手段と、
前記検索により、発信元ユーザのユーザ識別子に関する規制情報があった場合、該通信端末の通信を規制する第１の規制手段と、
前記検索により、発信元ユーザのユーザ識別子に関する規制情報がなかった場合、ホームメモリに対し、通信相手ユーザの規制情報を問い合わせる問合せ手段と、
前記通信相手ユーザの規制情報を受信し、発信元の前記通信端末から前記通信相手への通信を規制する第２の規制手段とを備え、
前記ホームメモリは、
通信相手ユーザの規制情報の問合せに応じて、通信相手ユーザのユーザ識別子をキーとして前記第２の規制情報データベースから規制情報を検索する第２の検索手段と、
前記検索により、通信相手ユーザのユーザ識別子に関する規制情報があった場合、通信相手ユーザの規制情報を交換機に応答する応答手段とを備えた、
ことを特徴とする通信システム。
【請求項５】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムであって、
前記交換機は、
在圏している通信端末からの位置登録要求又は電源オン通知を受け付けたときに、通信端末の端末識別子を通信端末のユーザのユーザ識別子と関連付けて前記第１の規制情報データベースに保持する第１の保持手段と、
前記通信端末の端末識別子が、前記ユーザのユーザ識別子に以前組み合わされていた端末識別子と異なっているか否かを判断する第１の判断手段と、
前記通信端末の端末識別子が、前記ユーザのユーザ識別子に以前組み合わされていた端末識別子と異なっていると判断された場合に、ホームメモリに対し、前記通信端末のユーザのユーザ識別子と通信端末の端末識別子の組合せを通知する通知手段と、
ホームメモリからの規制情報を受信し、受信した規制情報を、保持しているユーザ識別子に関連付けて前記第１の規制情報データベースに保持する第５の保持手段とを備え、
前記ホームメモリは、
通信端末のユーザのユーザ識別子と通信端末の端末識別子の組合せを前記交換機から受信し、端末識別子をユーザ識別子に関連付けて前記第２の規制情報データベースに保持する第２の保持手段と、
前記通信端末の端末識別子が、前記ユーザのユーザ識別子に以前組み合わされていた端末識別子と異なっているか否かを判断する第２の判断手段と、
前記通信端末の端末識別子が、前記ユーザのユーザ識別子に以前組み合わされていた端末識別子と異なっていると判断された場合、端末管理装置に対し、前記通信端末のユーザのユーザ識別子と通信端末の端末識別子の組合せを送信して通信端末の規制情報を問い合わせる規制情報問合せ手段と、
端末管理装置からの規制情報を受信し、受信した規制情報をユーザ識別子に関連付けて前記第２の規制情報データベースに保持する第４の保持手段と、
受信した規制情報が以前保持していた規制情報と同じか否かを判断する第３の判断手段と、
受信した規制情報が以前保持していた規制情報と同じでない場合、前記交換機に対し前記受信した規制情報を送信する規制情報送信手段とを備え、
前記端末管理装置は、
前記通信端末のユーザのユーザ識別子と通信端末の端末識別子の組合せを受信し、受信した前記組合せにおけるユーザ識別子を端末識別子に関連付けて前記第３の規制情報データベースに保持する第３の保持手段と、
受信した前記組合せにおける端末識別子をキーとして前記第３の規制情報データベースから規制情報を検索し、得られた規制情報をホームメモリに対し応答する規制情報応答手段とを備えた、
ことを特徴とする通信システム。
【請求項６】
通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムであって、
前記端末管理装置は、
外部から投入された規制情報を端末識別子に関連付けて前記第３の規制情報データベースに保持する第１の保持手段と、
前記通信端末の端末識別子に基づいて前記第３の規制情報データベースから該通信端末の利用ユーザのユーザ識別子を検索し、得られたユーザ識別子と規制情報をホームメモリに送信する規制情報送信手段とを備え、
前記ホームメモリは、
前記ユーザ識別子と前記規制情報をホームメモリから受信し、該規制情報をユーザ識別子に関連付けて前記第２の規制情報データベースに保持する第２の保持手段と、
受信した規制情報が以前保持していた規制情報と同じか否かを判断する規制情報判断手段と、
受信した規制情報が以前保持していた規制情報と異なる場合、交換機に対し前記規制情報を通知する規制情報通知手段とを備え、
前記交換機は、
前記規制情報を受信し、受信した規制情報を、保持しているユーザ識別子に関連付けて前記第１の規制情報データベースに保持する第３の保持手段を備えた、
ことを特徴とする通信システム。
【発明の詳細な説明】
【技術分野】
【０００１】
本発明は、規制制御方法及び通信システムに関するものであり、より詳しくは、通信端末と、配下に在圏する通信端末との間で通信を行う交換機と、位置登録要求に応じた位置登録及びユーザに関する情報の管理を行うホームメモリと、通信端末に関する情報の管理を行う端末管理装置とを含んで構成される通信システムにて、通信端末の通信の規制を制御するための規制制御方法、及び、当該通信システムに関する。
【背景技術】
【０００２】
従来より、通信端末を紛失した又は盗まれた等の状況において、当該通信端末の機能を規制する（即ち、禁止する）技術が知られていた（特許文献１参照）。ただし、従来の通信端末規制では、通信端末から位置登録や発着信がなされるたびに、ネットワーク内に設けられた規制情報保持装置（つまり、通信端末の規制情報を保持する装置）に対して、毎回、当該通信端末に関する規制情報の有無を問い合わせる必要があった。
【特許文献１】特開２００５−１０９５７４号公報
【発明の開示】
【発明が解決しようとする課題】
【０００３】
従来は、規制情報や規制解除情報を通信端末へなるべく早く通知し、規制又は規制解除の制御を行おうとすると、交換機から規制情報保持装置への問い合わせ間隔を短くし、より頻繁に問い合わせを行う必要があった。その結果、ネットワークや各装置に多くの負荷が発生するという問題があった。
【０００４】
一方、ネットワークや各装置への負荷を軽減するべく、規制情報有無の問い合わせ間隔を長くすると、規制情報や規制解除情報の通知及び規制・規制解除の制御に時間がかかってしまうという問題があった。
【０００５】
このようにネットワークや装置の負荷の軽減と規制・規制解除の制御時間の短縮とを両立させることは非常に困難な状況にあった。
【０００６】
本発明は、上記問題点を解消するために成されたものであり、ネットワークや各種装置に負荷を与えることなく、リアルタイムに端末の規制・規制解除を行うことを目的とする。
【課題を解決するための手段】
【０００７】
本発明に係る規制制御方法は、請求項１に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末に関する情報の管理を行う端末管理装置と、を含んで構成される通信システムにて、前記通信端末の通信の規制を制御するための規制制御方法であって、在圏する通信端末からの発信を受けた交換機が、該通信端末の発信元ユーザのユーザ識別子をキーとして前記第１の規制情報データベースから規制情報を検索する第１の検索ステップと、発信元ユーザのユーザ識別子に関する規制情報があった場合、交換機が、該通信端末の通信を規制する第１の規制ステップと、発信元ユーザのユーザ識別子に関する規制情報がなかった場合、交換機が、ホームメモリに対し、通信相手ユーザの規制情報を問い合わせる問合せステップと、ホームメモリが、通信相手ユーザのユーザ識別子をキーとして前記第２の規制情報データベースから規制情報を検索する第２の検索ステップと、通信相手ユーザのユーザ識別子に関する規制情報があった場合、ホームメモリが通信相手ユーザの規制情報を交換機に応答する応答ステップと、交換機が、前記通信相手ユーザの規制情報を受信し、発信元の通信端末から前記通信相手への通信を規制する第２の規制ステップと、を有することを特徴とする。
【０００８】
また、本発明に係る通信システムは、請求項４に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末に関する情報の管理を行う端末管理装置と、を含んで構成される通信システムであって、前記交換機は、在圏する通信端末からの発信を受けた場合、該通信端末の発信元ユーザのユーザ識別子をキーとして前記第１の規制情報データベースから規制情報を検索する第１の検索手段と、前記検索により、発信元ユーザのユーザ識別子に関する規制情報があった場合、該通信端末の通信を規制する第１の規制手段と、前記検索により、発信元ユーザのユーザ識別子に関する規制情報がなかった場合、ホームメモリに対し、通信相手ユーザの規制情報を問い合わせる問合せ手段と、前記通信相手ユーザの規制情報を受信し、発信元の前記通信端末から前記通信相手への通信を規制する第２の規制手段とを備え、前記ホームメモリは、通信相手ユーザの規制情報の問合せに応じて、通信相手ユーザのユーザ識別子をキーとして前記第２の規制情報データベースから規制情報を検索する第２の検索手段と、前記検索により、通信相手ユーザのユーザ識別子に関する規制情報があった場合、通信相手ユーザの規制情報を交換機に応答する応答手段とを備えたことを特徴とする。
【０００９】
以上のような規制制御方法又は通信システムによれば、規制情報を効率よく管理することができ、ネットワークや各種装置に負荷を与えることなく、規制・規制情報の反映時間を短縮することができる。
【００１０】
本発明に係る規制制御方法は、請求項２に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムにて、前記通信端末の通信の規制を制御するための規制制御方法であって、交換機が、在圏している通信端末からの位置登録要求又は電源オン通知を受け付けたときに、前記通信端末の端末識別子を通信端末のユーザのユーザ識別子と関連付けて前記第１の規制情報データベースに保持する第１の保持ステップと、交換機が、前記通信端末の端末識別子が、以前前記ユーザのユーザ識別子に組み合わされていた端末識別子と異なっているか否かを判断する第１の判断ステップと、前記通信端末の端末識別子が、以前前記ユーザのユーザ識別子に組み合わされていた端末識別子と異なっていると判断された場合に、交換機が、ホームメモリに対し、前記通信端末のユーザのユーザ識別子と通信端末の端末識別子の組合せを通知する通知ステップと、ホームメモリが、前記通知を受信し、端末識別子をユーザ識別子に関連付けて前記第２の規制情報データベースに保持する第２の保持ステップと、ホームメモリが、前記通信端末の端末識別子が、以前前記ユーザのユーザ識別子に組み合わされていた端末識別子と異なっているか否かを判断する第２の判断ステップと、前記通信端末の端末識別子が、以前前記ユーザのユーザ識別子に組み合わされていた端末識別子と異なっていると判断された場合に、ホームメモリが、端末管理装置に対し、通信端末のユーザのユーザ識別子と通信端末の端末識別子の組合せを送信して通信端末の規制情報を問い合わせる規制情報問合せステップと、端末管理装置が、受信した組合せにおけるユーザ識別子を端末識別子に関連付けて前記第３の規制情報データベースに保持する第３の保持ステップと、端末管理装置が、受信した組合せにおける端末識別子をキーとして前記第３の規制情報データベースから規制情報を検索し、得られた規制情報をホームメモリに対し応答する規制情報応答ステップと、ホームメモリが、端末管理装置からの規制情報を受信し、受信した規制情報をユーザ識別子に関連付けて前記第２の規制情報データベースに保持する第４の保持ステップと、ホームメモリが、受信した規制情報が以前保持していた規制情報と同じか否かを判断する第３の判断ステップと、受信した規制情報が以前保持していた規制情報と同じでない場合、ホームメモリが、前記交換機に対し前記受信した規制情報を送信する規制情報送信ステップと、前記交換機が、ホームメモリからの規制情報を受信し、受信した規制情報を、保持しているユーザ識別子に関連付けて前記第１の規制情報データベースに保持する第５の保持ステップと、を有することを特徴とする。
【００１１】
本発明に係る通信システムは、請求項５に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムであって、前記交換機は、在圏している通信端末からの位置登録要求又は電源オン通知を受け付けたときに、通信端末の端末識別子を通信端末のユーザのユーザ識別子と関連付けて前記第１の規制情報データベースに保持する第１の保持手段と、前記通信端末の端末識別子が、前記ユーザのユーザ識別子に以前組み合わされていた端末識別子と異なっているか否かを判断する第１の判断手段と、前記通信端末の端末識別子が、前記ユーザのユーザ識別子に以前組み合わされていた端末識別子と異なっていると判断された場合に、ホームメモリに対し、前記通信端末のユーザのユーザ識別子と通信端末の端末識別子の組合せを通知する通知手段と、ホームメモリからの規制情報を受信し、受信した規制情報を、保持しているユーザ識別子に関連付けて前記第１の規制情報データベースに保持する第５の保持手段とを備え、前記ホームメモリは、通信端末のユーザのユーザ識別子と通信端末の端末識別子の組合せを前記交換機から受信し、端末識別子をユーザ識別子に関連付けて前記第２の規制情報データベースに保持する第２の保持手段と、前記通信端末の端末識別子が、前記ユーザのユーザ識別子に以前組み合わされていた端末識別子と異なっているか否かを判断する第２の判断手段と、前記通信端末の端末識別子が、前記ユーザのユーザ識別子に以前組み合わされていた端末識別子と異なっていると判断された場合、端末管理装置に対し、前記通信端末のユーザのユーザ識別子と通信端末の端末識別子の組合せを送信して通信端末の規制情報を問い合わせる規制情報問合せ手段と、端末管理装置からの規制情報を受信し、受信した規制情報をユーザ識別子に関連付けて前記第２の規制情報データベースに保持する第４の保持手段と、受信した規制情報が以前保持していた規制情報と同じか否かを判断する第３の判断手段と、受信した規制情報が以前保持していた規制情報と同じでない場合、前記交換機に対し前記受信した規制情報を送信する規制情報送信手段とを備え、前記端末管理装置は、前記通信端末のユーザのユーザ識別子と通信端末の端末識別子の組合せを受信し、受信した前記組合せにおけるユーザ識別子を端末識別子に関連付けて前記第３の規制情報データベースに保持する第３の保持手段と、受信した前記組合せにおける端末識別子をキーとして前記第３の規制情報データベースから規制情報を検索し、得られた規制情報をホームメモリに対し応答する規制情報応答手段とを備えたことを特徴とする。
【００１２】
以上のような規制制御方法又は通信システムによれば、ユーザが端末を変更した契機で、ホームメモリ、交換機、端末管理装置の三者に規制情報の変更が通知され、変更後の規制情報がホームメモリ、交換機、端末管理装置により適正に保持される。
【００１３】
本発明に係る規制制御方法は、請求項３に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムにて、前記通信端末の通信の規制を制御するための規制制御方法であって、端末管理装置が、外部から投入された規制情報を端末識別子に関連付けて前記第３の規制情報データベースに保持する第１の保持ステップと、端末管理装置が、通信端末の端末識別子に基づいて前記第３の規制情報データベースから該通信端末の利用ユーザのユーザ識別子を検索し、得られたユーザ識別子と規制情報をホームメモリに送信する規制情報送信ステップと、ホームメモリが、前記規制情報をユーザ識別子に関連付けて前記第２の規制情報データベースに保持する第２の保持ステップと、ホームメモリが、受信した規制情報が以前保持していた規制情報と同じか否かを判断する規制情報判断ステップと、受信した規制情報が以前保持していた規制情報と異なる場合、ホームメモリが交換機に対し規制情報を通知する規制情報通知ステップと、交換機が、規制情報を受信し、受信した規制情報を、保持しているユーザ識別子に関連付けて前記第１の規制情報データベースに保持する第３の保持ステップと、を有することを特徴とする。
【００１４】
本発明に係る通信システムは、請求項６に記載したように、通信端末と、通信端末のユーザのユーザ識別子をキーとして該通信端末に関する端末識別子と規制情報を記憶した第１の規制情報データベースを備え、配下に在圏する通信端末との間で通信を行う交換機と、通信端末のユーザのユーザ識別子をキーとして該通信端末に関する端末識別子と規制情報を記憶した第２の規制情報データベースを備え、位置登録要求に応じた位置登録及びユーザに関する情報の管理を行うホームメモリと、通信端末の端末識別子をキーとして該通信端末のユーザのユーザ識別子と規制情報を記憶した第３の規制情報データベースを備え、通信端末に関する情報の管理を行う端末管理装置と、を含んで構成される通信システムであって、前記端末管理装置は、外部から投入された規制情報を端末識別子に関連付けて前記第３の規制情報データベースに保持する第１の保持手段と、前記通信端末の端末識別子に基づいて前記第３の規制情報データベースから該通信端末の利用ユーザのユーザ識別子を検索し、得られたユーザ識別子と規制情報をホームメモリに送信する規制情報送信手段とを備え、前記ホームメモリは、前記ユーザ識別子と前記規制情報をホームメモリから受信し、該規制情報をユーザ識別子に関連付けて前記第２の規制情報データベースに保持する第２の保持手段と、受信した規制情報が以前保持していた規制情報と同じか否かを判断する規制情報判断手段と、受信した規制情報が以前保持していた規制情報と異なる場合、交換機に対し前記規制情報を通知する規制情報通知手段とを備え、前記交換機は、前記規制情報を受信し、受信した規制情報を、保持しているユーザ識別子に関連付けて前記第１の規制情報データベースに保持する第３の保持手段を備えたことを特徴とする。
【００１５】
以上のような規制制御方法又は通信システムによれば、通信端末の規制情報が投入された際に、確実に、端末管理装置は規制情報を端末識別子に関連付けて保持し、ホームメモリ及び交換機は規制情報をユーザ識別子に関連付けて保持することができる。
【発明の効果】
【００１６】
以上述べたように、本発明により、ネットワークや各種装置に負荷を与えることなく、リアルタイムに端末の規制・規制解除を行うことが可能となる。
【発明を実施するための最良の形態】
【００１７】
以下、図面を参照しながら、本発明の実施形態について説明する。
【００１８】
［通信システム及び各装置の構成］
まず、図１を用いて本実施形態に係る通信システム１の構成について説明する。通信システム１は、ネットワーク４、交換機６、ホームメモリ５、端末管理装置３、操作端末２、通信端末７、及びユーザ識別チップ８を含んで構成される。
【００１９】
このうちネットワーク４は、交換機６やホームメモリ５、端末管理装置３の各装置を収容し、各装置間の情報転送を行う。
【００２０】
操作端末２は、操作員が『端末識別子』ごとの規制情報を端末管理装置３へ投入するための端末である。
【００２１】
交換機６は、配下に在圏する通信端末７と通信を行い、通信端末７から『端末識別子』の取得を行い、通信端末７に挿入されているユーザ識別チップ８から『ユーザ識別子』の取得を行う。また、交換機６は、ホームメモリ５に対して、取得した『ユーザ識別子』と『端末識別子』の組み合わせを通知し、ホームメモリ５から通知された規制情報をもとに通信端末７の規制を行う。このような機能を持つ交換機６は、図７に示す機能ブロック（規制情報を保持する保持部６４、規制情報を検索する検索部６１、規制情報に基づいて規制を行う規制部６２、通信相手ユーザの規制情報を問い合わせる問合せ部６３、通信端末の端末識別子が、ユーザ識別子に以前組み合わされていた端末識別子と異なっているか否か等を判断する判断部６５、及び、さまざまな情報の通知を行う通知部６６）を含んで構成される。このうち保持部６４は規制情報データベース６４Ａを含んでおり、この規制情報データベース６４Ａは、図５に示すように、ユーザ識別子を検索キーとしてユーザが使用している通信端末７の端末識別子と規制情報を保持している。
【００２２】
ホームメモリ５は、ユーザの在圏情報や契約情報などを保持する装置であり、位置登録要求に応じて位置登録を行う。このホームメモリ５は、交換機６からユーザ識別子と端末識別子の組み合わせを受信し保持を行う。また、ホームメモリ５は、同時に交換機６から受信した組み合わせを端末管理装置３へ送信する。また、ホームメモリ５は、端末管理装置３から通信端末７の規制情報を取得して保持を行い、ユーザが在圏している交換機６に対して送信を行う。このような機能を持つホームメモリ５は、図８に示す機能ブロック（規制情報を保持する保持部５３、規制情報を検索する検索部５１、規制情報を問い合わせる問合せ部５２、通信端末の端末識別子が、ユーザ識別子に以前組み合わされていた端末識別子と異なっているか否か等を判断する判断部５４、及び、さまざまな情報の通知を行う通知部５５）を含んで構成される。このうち保持部５３は規制情報データベース５３Ａを含んでおり、この規制情報データベース５３Ａは、図５に示すように、ユーザ識別子を検索キーとしてユーザが使用している通信端末７の端末識別子と規制情報を保持している。
【００２３】
端末管理装置３は、端末識別子をキーとした規制情報を保持する装置であり、ホームメモリ５から『端末識別子』と『ユーザ識別子』の組み合わせを受信し、保持を行う。また、端末管理装置３は、操作端末２から投入された『端末識別子』ごとの規制情報を保持する。このような機能を持つ端末管理装置３は、図９に示す機能ブロック（規制情報を保持する保持部３１、及び、さまざまな情報の通知を行う通知部３２）を含んで構成される。このうち保持部３１は規制情報データベース３１Ａを含んでおり、この規制情報データベース３１Ａは、図６に示すように、端末識別子を検索キーとして、端末を使用しているユーザのユーザ識別子と通信端末７の規制情報を保持する。規制情報は複数の値を設定することができ、例えば、『規制あり』、『規制なし』の他に、『発信規制』や『着信規制』など、通信オペレータのサービス提供条件に応じてカスタマイズが可能である。
【００２４】
ユーザ識別チップ８は、通信を行う際に、ユーザを一意に識別するためのチップであり、ユーザは通信端末７へチップを挿入し、通信を利用することが可能となる。また、ユーザ認識チップは、任意の通信端末７へ挿入することが可能であり、ユーザ認識チップが挿入されている間のみ通信端末７はユーザの端末として動作する。
【００２５】
なお、交換機６、ホームメモリ５及び端末管理装置３において、特許請求の範囲に記載された構成要件と、図７〜図９の機能ブロックとの関係は以下である。即ち、交換機６において検索部６１は、特許請求の範囲に記載された第１の検索手段に相当し、規制部６２は、第１の規制手段及び第２の規制手段に相当し、問合せ部６３は、問合せ手段に相当する。また、保持部６４は、第１の保持手段、第５の保持手段及び第３の保持手段に相当し、規制情報データベース６４Ａは、第１の規制情報データベースに相当する。また、判断部６５は、第１の判断手段に相当し、通知部６６は、通知手段に相当する。
【００２６】
ホームメモリ５において検索部５１は、特許請求の範囲に記載された第２の検索手段に相当し、問合せ部５２は、規制情報問合せ手段に相当する。また、保持部５３は、第２の保持手段及び第４の保持手段に相当し、規制情報データベース５３Ａは、第２の規制情報データベースに相当する。また、判断部５４は、第２の判断手段、第３の判断手段及び規制情報判断手段に相当し、通知部５５は、応答手段、規制情報送信手段及び規制情報通知手段に相当する。
【００２７】
端末管理装置３において保持部３１は、第３の保持手段及び第１の保持手段に相当し、規制情報データベース３１Ａは、第３の規制情報データベースに相当し、通知部３２は、規制情報応答手段及び規制情報送信手段に相当する。
【００２８】
［通信システムにおける各種の動作］
以下、本実施形態の通信システム１における各種の動作を説明する。
【００２９】
まず、図２を用いて、ユーザがユーザ識別チップ８を他の通信端末７へ差し替えた場合や位置登録をした場合の交換機６、ホームメモリ５、端末管理装置３の情報更新処理動作を説明する。
【００３０】
通信端末７からの位置登録要求又は電源オン通知（Ｓ０１）を受け付けた交換機６は、通信端末７のユーザのユーザ識別子と通信端末７の端末識別子の組合せを取得し保持する（Ｓ０２）。ここで、交換機６は、取得された組合せにおける端末識別子（通信端末７の端末識別子）が存在するか否かを判断し（Ｓ０３）、通信端末７の端末識別子が存在しなかった場合、交換機６は、通信端末７による交換機６配下での初回の位置登録であると認識し、ホームメモリ５に対し、通信端末７のユーザのユーザ識別子と通信端末７の端末識別子の組合せを送信するとともに通信端末７の位置登録要求を送信する（Ｓ０４）。
【００３１】
一方、Ｓ０３で、上記組合せにおける端末識別子が存在した場合は、交換機６は、当該組合せにおける端末識別子が、以前ユーザ識別子に組み合わされていた端末識別子と同じか否かを判断する（Ｓ０５）。ここで、当該組合せにおける端末識別子が、以前ユーザ識別子に組み合わされていた端末識別子と同じであれば、ユーザは以前と同じ通信端末７を使用しているものと判断できるので、処理は行われない。
【００３２】
一方、Ｓ０５で、当該組合せにおける端末識別子が、以前ユーザ識別子に組み合わされていた端末識別子と異なっていた場合は、ユーザは以前と異なる通信端末を使用しているものと判断できるので、交換機６は、ホームメモリ５に対し、通信端末７のユーザのユーザ識別子と通信端末７の端末識別子の組合せを通知する（Ｓ０６）。
【００３３】
上記通知を受けたホームメモリ５は、交換機６と同様に、ユーザ識別子に端末識別子を関連付けて保持し（Ｓ０７）、当該組合せにおける端末識別子が、以前ユーザ識別子に組み合わされていた端末識別子と同じか否かを判断する（Ｓ０８）。ここで、当該組合せにおける端末識別子が、以前ユーザ識別子に組み合わされていた端末識別子と同じであれば、ユーザは以前と同じ通信端末７を使用しているものと判断できるので、処理は行われない。
【００３４】
一方、Ｓ０８で、当該組合せにおける端末識別子が、以前ユーザ識別子に組み合わされていた端末識別子と異なっていた場合は、ユーザは以前と異なる通信端末を使用しているものと判断できるので、ホームメモリ５は、通信端末７の規制情報を取得するため、端末管理装置３に対し通信端末７の規制情報を問い合わせる（Ｓ０９）。この時、上記組合せにおける端末識別子をキーとして問い合わせを行うが、該端末識別子に組み合わされているユーザ識別子も同時に送信する。
【００３５】
上記組合せ（通信端末７のユーザのユーザ識別子と通信端末７の端末識別子の組合せ）を受信し通信端末７の規制情報の問合せを受けた端末管理装置３は、受信したユーザ識別子を端末識別子に関連付けて保持するとともに端末識別子をキーとして規制情報を検索し（Ｓ１０）、得られた規制情報をホームメモリ５に対し応答する（Ｓ１１）。
【００３６】
規制情報を受信したホームメモリ５は、該規制情報をユーザ識別子に関連付けて保持し（Ｓ１２）、受信した規制情報が以前保持していた規制情報と同じか否かを判断する（Ｓ１３）。ここで、受信した規制情報が以前保持していた規制情報と同じであれば、処理は行われないが、受信した規制情報が以前保持していた規制情報と異なる場合、ホームメモリ５は、ユーザが在圏する交換機６に対し上記の規制情報を送信する（Ｓ１４）。
【００３７】
規制情報を受信した交換機６は、保持しているユーザ識別子に、受信した規制情報を関連付けて保持する（Ｓ１５）。
【００３８】
以上の図２の処理により、ユーザが端末を変更した契機で、ホームメモリ５、交換機６、端末管理装置３の三者に規制情報の変更が通知され、変更後の規制情報がホームメモリ５、交換機６、端末管理装置３により適正に保持されることとなる。
【００３９】
次に、図３を用いて、通信端末７の規制情報が操作端末２から投入された場合の端末管理装置３、ホームメモリ５、交換機６の情報更新処理動作を説明する。
【００４０】
操作端末２から端末管理装置３へ、通信端末７の端末識別子を指定して通信端末７の規制情報の投入がなされると（Ｓ２１）、端末管理装置３は、規制情報を端末識別子に関連付けて保持し（Ｓ２２）、通信端末７の端末識別子をキーとして、通信端末７の利用ユーザを特定するユーザ識別子を検索する（Ｓ２３）。そして、端末管理装置３は、該当ユーザの情報を管理するホームメモリ５に対し通信端末７の規制情報を送信する（Ｓ２４）。
【００４１】
なお、Ｓ２３で、ユーザ識別子を検索できなかった場合、通信端末７は一度も使用されていない通信端末であると判断できるため、端末管理装置３からホームメモリ５への規制情報の送信が不可能となる。この場合は、通信端末７が使用された契機で、図２に記載した手順が実行され、通信端末７に対する規制がなされることとなる。
【００４２】
端末管理装置３からの規制情報を受信したホームメモリ５は、該規制情報をユーザ識別子に関連付けて保持し（Ｓ２５）、受信した規制情報が以前保持していた規制情報と同じか否かを判断する（Ｓ２６）。ここで、受信した規制情報が以前保持していた規制情報と同じであれば、処理は行われないが、受信した規制情報が以前保持していた規制情報と異なる場合、ホームメモリ５は、ユーザが在圏する交換機６に対し上記の規制情報を送信する（Ｓ２７）。
【００４３】
規制情報を受信した交換機６は、保持しているユーザ識別子に、受信した規制情報を関連付けて保持する（Ｓ２８）。
【００４４】
以上の図３の処理により、通信端末７の規制情報が操作端末２から投入された場合、端末管理装置３は規制情報を端末識別子に関連付けて保持し、ホームメモリ５及び交換機６は規制情報をユーザ識別子に関連付けて保持することとなる。
【００４５】
最後に、図４を用いて、通信端末７の規制処理動作の一例を説明する。ここでは、通信端末７Ａを利用しているユーザＡから、通信端末７Ｂを利用しているユーザＢに対して発信が行われたケースを想定する。通信端末７Ａは交換機６Ａの配下に在圏し、通信端末７Ｂは交換機６Ｂの配下に在圏している。なお、通信端末７Ａ、７Ｂは共に、前述した通信端末７と同様の構成・機能を備えており、交換機６Ａ、６Ｂは共に、前述した交換機６と同様の構成・機能を備えている。
【００４６】
まず、ユーザＡが通信端末７Ａにより発信すると、発信者のユーザＡのユーザ識別子及び相手先のユーザＢのユーザ識別子が通信端末７Ａから交換機６Ａへ送信される（Ｓ３１）。
【００４７】
交換機６Ａは、発信者（ユーザＡ）が使用している通信端末７Ａが規制端末か否かを確認するため、ユーザＡのユーザ識別子をキーとして規制情報を検索する（Ｓ３２、Ｓ３３）。ここで、ユーザＡのユーザ識別子に関して規制情報があった（即ち、ユーザＡの通信端末７Ａが規制端末であった）場合、交換機６Ａは、通信端末７Ａに対して通信端末７Ａが規制端末であることを示す情報（ガイダンスなど）を送信する（Ｓ３４）。この情報は通信端末７Ａの表示画面に表示され、これにより、発信者（ユーザＡ）は、自己の通信端末７Ａが規制端末であることを認識することができる。
【００４８】
一方、Ｓ３３で、通信端末７Ａが規制端末ではなかった場合、交換機６Ａは、相手先のユーザＢに着信を行うため、ホームメモリ５に対してユーザＢの情報を問い合わせる（Ｓ３５）。
【００４９】
ユーザＢの情報問合せを受信したホームメモリ５は、ユーザＢが使用している通信端末７が規制端末か否かを確認するため、ユーザＢのユーザ識別子をキーとして規制情報を検索する（Ｓ３６、Ｓ３７）。ここで、ユーザＢのユーザ識別子に関して規制情報が無かった（即ち、ユーザＢの通信端末７Ｂが規制端末ではなかった）場合、ホームメモリ５は処理を行わないが、一方、Ｓ３７でユーザＢのユーザ識別子に関して規制情報があった（即ち、ユーザＢの通信端末７Ｂが規制端末であった）場合、ホームメモリ５は、交換機６Ａに対し通信端末７Ｂが規制端末であることを示す情報を送信し（Ｓ３８）、交換機６Ａは、通信端末７Ａに対してユーザＢの通信端末７Ｂが規制端末であることを示す情報（ガイダンスなど）を送信する（Ｓ３９）。この情報は通信端末７Ａの表示画面に表示され、これにより、発信者（ユーザＡ）は、ユーザＢの通信端末７Ｂが規制端末であることを認識することができる。
【００５０】
以上の図４の処理により、規制情報を効率よく管理することができ、ネットワークや各種装置に負荷を与えることなく、規制・規制情報の反映時間を短縮することができる。
【００５１】
以上述べたような発明の実施形態によれば、ユーザがどの通信端末を使用しているかという情報と、通信端末がどのユーザに使用されているかという情報を効率よく生成し保持を行うことができ、ネットワークや各種装置に負荷を与えることなく、リアルタイムに端末の規制・規制解除を行うことが可能となる。
【００５２】
なお、本実施形態では、発信者（ユーザＡ）の通信端末７Ａに対して、通信端末７Ａ又は通信端末７Ｂが規制端末であることを示す情報を通知したが、図３で示した手順の中でホームメモリ５から交換機６へ規制情報の送信がなされた時に、交換機６から規制対象の通信端末７に対して、通信を規制する情報を通知し、通知を受けた通信端末７において発信、着信の規制を行う、という手順を採用してもよい。
【００５３】
また、本実施形態では、発信や着信のたびに交換機６やホームメモリ５で規制を行ったが、通信端末７においても規制情報を保持して、通信端末７にて発信や着信を規制する方法を採用してもよい。
【図面の簡単な説明】
【００５４】
【図１】通信システムの構成図である。
【図２】ユーザがユーザ識別チップを他の通信端末へ差し替えた場合や位置登録をした場合の交換機、ホームメモリ、端末管理装置の情報更新処理を示すシーケンス図である。
【図３】操作端末から通信端末の規制情報を投入した場合の端末管理装置、ホームメモリ、交換機の情報更新処理を示すシーケンス図である。
【図４】通信端末の規制処理例を示すシーケンス図である。
【図５】交換機及びホームメモリが保持する情報の構成を示した図である。
【図６】端末管理装置が保持する情報の構成を示した図である。
【図７】交換機の機能ブロック構成図である。
【図８】ホームメモリの機能ブロック構成図である。
【図９】端末管理装置の機能ブロック構成図である。
【符号の説明】
【００５５】
１…通信システム、２…操作端末、３…端末管理装置、４…ネットワーク、５…ホームメモリ、６、６Ａ、６Ｂ…交換機、７、７Ａ、７Ｂ…通信端末、８…ユーザ識別チップ、３１…保持部、３１Ａ…規制情報データベース、３２…通知部、５１…検索部、５２…問合せ部、５３…保持部、５３Ａ…規制情報データベース、５４…判断部、５５…通知部、６１…検索部、６２…規制部、６３…問合せ部、６４…保持部、６４Ａ…規制情報データベース、６５…判断部、６６…通知部。
【図１】
2008047951.tif 000003
【図２】
2008047951.tif 000004
【図３】
2008047951.tif 000005
【図４】
2008047951.tif 000006
【図５】
2008047951.tif 000007
【図６】
2008047951.tif 000008
【図７】
2008047951.tif 000009
【図８】
2008047951.tif 000010
【図９】
2008047951.tif 000011